(57)【要約】      （修正有）【課題】マグネットの磁力と金具の勘合により取り付け物の脱着を簡単で確実に行うことを目的とした固定具を提供する。【解決手段】固定面に固定物を取り付けるための固定具であって、基部金具１はマグネットを吸着する材質でできており、取り付け金具２はマグネットをホールドする金具である。この２部品の吸着力と基部金具１の内部円周に設けられた嵌合溝部１１と取り付け金具２の上部に角状に設けられた嵌合突起部１４との嵌め合いにより、取り付け金具２に取り付けられた固定物の荷重を保持し、簡単に取り付け取り外しが行える様に固定具を形成する。【選択図】図３
0003180392.tif 000002
【実用新案登録請求の範囲】
【請求項１】
固定面に固定物を取り付けるための固定具であって、二部品に分割された金具は一方はマグネットをホールドし、一方は鉄などマグネットの吸着力を受ける材質でできており、この吸着力と金具の溝と突起の勘合により荷重を保持し、簡単に取り付け、取り外しが行える事を特徴とする固定具。
【請求項２】
固定面側の金具には角度調整用のピンがたっており、固定物側の金具には、それを受けるための穴があり、このピンと穴との嵌め合いにより角度の調整が可能な事を特徴とする請求項１に記載の固定具。
【考案の詳細な説明】
【技術分野】
【０００１】  本考案は、おもにマグネットの磁力と金具の勘合により取り付け物の脱着を簡単で確実に行うことを目的とした固定具の技術に関するものである。
【背景技術】
【０００２】  もともと、固定物を固定面に固定するためには、ねじによる締結や溶接、接着などといった技術が使用されてきた。たとえば壁面に固定物を取り付ける場合は、取り付ける壁面の材質により取り付け手段を選択し固定を行っていた。【０００３】  たとえば特許文献では、磁石による固定物の固定方法が公開されている。この手段であれば容易に固定面から固定物を取り外す事ができるが壁面が磁力を引き付けるものでなければならない。
【先行技術文献】
【０００４】
【特許文献】
【特許文献】  特開平０９−０４７３５６公報
【考案の概要】
【考案が解決しようとする課題】
【０００５】  固定物を固定面に固定する技術は、ねじ固定、接着、溶接などがある。確実に固定を行うことのできるものではあるが、その反面接着や溶接は一度取り付けてしまうと容易には取り外す事ができない。ねじ固定に関しても工具を使用しての取り外しとなるため脱着が簡単とは言えない。また、磁石での固定であっても取り付け面は、磁力を引き付けるものでなくてはならない上に固定力は磁力に起因する。この問題を解決するためにマグネットの吸着力と金具の勘合により固定物の脱着を簡単でかつ、確実に行うことを実現することにある。
【課題を解決するための手段】
【０００６】  かかる目的を達成させるため、本考案では取り付け面に磁力を引き付ける基部金具を取り付け、これにマグネットをホールドした取り付け金具を吸着させるという手段をとる。取り付け金具には、固定面に固定させる固定物を取り付け、取り付け金具を介して固定面に固定する。取り付け金具の一部には凸部があり、また基部金具には凹部がある。固定金具にかかる、荷重はマグネットによる吸着力と金具による勘合により支持を行うという構成をとる。これにより、固定物は固定面の取り付けられた状態となり固定面からの取り外しも容易に行うことができるようになる。
【考案の効果】
【０００７】  本考案は、固定物をマグネットと金具の勘合により簡単で確実に取り付け、取り外しを可能とする効果を有している。
【図面の簡単な説明】
【０００８】
【図１】固定面に固定する基部金具を示す図である。
【図２】マグネットをホールドした取り付け金具を示す図である。
【図３】基部金具と取り付け金具の勘合状態を示した図である。
【図４】固定物を取り付け金具に取り付けた実施形態を示した図である。
【考案を実施するための形態】
【０００９】  本考案の実施形態を図１乃至図４を参照して説明する。図１は、固定面に固定する基部金具を示した図である。図２はマグネットをホールドした状態の取り付け金具を示した図である。図３は、基部金具と取り付け金具の勘合状態を示した図である。図４は固定物を取り付け金具に取り付けた状態の実施形態を示した図である。
【００１０】［構成］
本実施形態における構成は図４のように、基部金具を固定面に対して取り付け、さらに、取り付け金具に固定物を取り付けた状態となる。また、この状態で基部金具と取り付け金具を勘合させることで実施形態とする。以下、各構成に関して詳述する。
【００１１】  図１に表記の基部金具１は、（ａ）は表部、（ｂ）は側部から見た図である。構成としては、磁力を引き付ける事のできる、例えば鉄で構成される金属でできている円形の本体部分を基礎として、固定面へ取り付けを行うための、ねじ穴１２と図２で表記の取り付け金具２の角度を保持するためのピン１０、さらに取り付け金具２の勘合突起部１４と勘合するための、勘合溝部１１からなる。
【００１２】  図２は、図１で示した基部金具に勘合するための金具であり、（ａ）は表部、（ｂ）は側部、（ｃ）は裏部から見た図となる。（ａ）の図で見ると、固定物を取り付け金具２に取り付けるための、固定物用ねじ穴１５があり、さらに裏部からマグネットを固定するためのマグネット固定用ねじ穴１７がある。（ｃ）の図でみるとマグネット１８がマグネット固定用ねじ穴によってねじで固定されている。マグネット１８の下部には３点の角度のついた、角度調整用穴１６があいており、図１のピン１０と勘合することにより角度の調整を行うことができる。角度調整穴および、ピンは何点であっても構わない。勘合突起部１４は、図１の勘合溝部に嵌まることで、マグネットの吸着力と合わせて荷重を受ける構造となっている。
【００１３】  図３は、図１の取り付け基部１と図２の取り付け金具２の勘合状態を示している。（ａ）は基部金具１に対し、取り付け金具２を挿入する際の図となる。勘合突起１４を勘合溝１１に勘合させるため、図上の下部から斜めに挿入を行う。これにより勘合突起と勘合溝が、（ｂ）の勘合した状態となることで荷重を受けることができる。金具が勘合することとマグネットの吸着力によって引き付ける力で荷重を受けることができ、確実な固定をすることができる。
【実施例】
【００１４】  次に上記の固定具の実施例を、図４を使用して説明する。【００１５】  図４は、本考案の固定具によって固定物３を取り付け固定面Ｗに基部金具１と取り付け金具２を介して固定した際の実施図となっている。（ａ）は表部を（ｂ）は側部を（ｃ）は角度調整の状態を示した図である。固定物３は、ねじによって取り付け金具２に固定されている。一例として図ではＬ字型の金具を表記しているが取り付け金具２に固定できる形状のものであれば構わない。この状態で取り付け金具側の形態となす。【００１６】  これに対し、受け側の基部金具は、固定面に対して皿ビス４で固定されている。受け側は磁性体であれば基部金具の形状以外でも構わない。また固定面への固定は、ビス固定でなくとも接着や溶接、そのほかの手段であっても構わない。基部金具２は、マグネットの吸着力が下面方向へ下がる事を防止するのとともに、勘合溝部と取り付け金具の勘合突起部の勘合により荷重を受ける構造となっている。【００１７】  このように、固定面に取り付けた基部金具と、固定物を取り付けた、取り付け金具の磁力と突起、溝の構造により本案の固定具を介して簡単に着脱を行うことを実現している。【００１８】  また、この固定具の実施の一例として棚などの商品の展示金具として使用した場合（ｃ）のように角度調整をする機能も有する。これは図１のピン１０と図２の角度調整用穴１６の嵌め合いにて作用する。
【産業上の利用可能性】
【００１９】  本考案は、固定物と固定面の着脱を荷重を受けた状態で簡単に行う事ができるという特長を持ち、さまざまな着脱の必要な固定物に対し応用利用が可能であり産業上の利用可能性を有する。
【符号の説明】
【００２０】１      基部金具
２      取り付け金具
３      固定物
４      皿ビス
１０    ピン
１１    勘合溝部
１２    ねじ穴
１４    勘合突起部
１５    固定物用ねじ穴
１６    角度調整用穴
１７    マグネット固定用ねじ穴
１８    マグネット
【図１】
0003180392.tif 000003
【図２】
0003180392.tif 000004
【図３】
0003180392.tif 000005
【図４】
0003180392.tif 000006
【手続補正書】
【提出日】平成24年6月29日(2012.6.29)
【手続補正１】
【補正対象書類名】実用新案登録請求の範囲
【補正対象項目名】全文
【補正方法】変更
【補正の内容】
【実用新案登録請求の範囲】
【請求項１】
固定面に固定物を取り付けるための固定具であって、基部金具（１）はマグネットを吸着する材質でできており、取り付け金具（２）はマグネットをホールドする金具であり、この２部品の吸着力と基部金具（１）にある勘合溝部（１１）と取り付け金具（２）にある勘合突起部（１４）との嵌め合いにより、取り付け金具（２）に取り付けられた、固定物（３）の荷重を保持し、簡単に取り付け、取り外しが行える事を特徴とする固定具。
【請求項２】
前記の基部金具（１）には、ピン（１０）が立っており、取り付け金具（２）に設けられた複数の角度調整用穴（１６）のいずれかとの嵌め合いにより、固定物（３）を固定面に垂直な方向軸まわりの角度の調整が可能な事を特徴とする請求項１に記載の固定具。
【手続補正書】
【提出日】平成24年9月27日(2012.9.27)
【手続補正１】
【補正対象書類名】実用新案登録請求の範囲
【補正対象項目名】請求項１
【補正方法】変更
【補正の内容】
【請求項１】
固定面に固定物を取り付けるための固定具であって、基部金具（１）はマグネットを吸着する材質でできており、取り付け金具（２）はマグネットをホールドする金具であり、この２部品の吸着力と基部金具（１）の内部円周に設けられた嵌合溝部（１１）と取り付け金具（２）の上部に角状に設けられた嵌合突起部（１４）との嵌め合いにより、取り付け金具（２）に取り付けられた、固定物（３）の荷重を保持し、簡単に取り付け、取り外しが行える事を特徴とする固定具。
【手続補正２】
【補正対象書類名】明細書
【補正対象項目名】全文
【補正方法】変更
【補正の内容】
【考案の詳細な説明】
【技術分野】
【０００１】  本考案は、おもにマグネットの磁力と金具の嵌合により取り付け物の脱着を簡単で確実に行うことを目的とした固定具の技術に関するものである。
【背景技術】
【０００２】  もともと、固定物を固定面に固定するためには、ねじによる締結や溶接、接着などといった技術が使用されてきた。たとえば壁面に固定物を取り付ける場合は、取り付ける壁面の材質により取り付け手段を選択し固定を行っていた。【０００３】  たとえば特許文献では、磁石による固定物の固定方法が公開されている。この手段であれば容易に固定面から固定物を取り外す事ができるが壁面が磁力を引き付けるものでなければならない。
【先行技術文献】
【０００４】
【特許文献】
【特許文献】  特開平０９−０４７３５６公報
【考案の概要】
【考案が解決しようとする課題】
【０００５】  固定物を固定面に固定する技術は、ねじ固定、接着、溶接などがある。確実に固定を行うことのできるものではあるが、その反面接着や溶接は一度取り付けてしまうと容易には取り外す事ができない。ねじ固定に関しても工具を使用しての取り外しとなるため脱着が簡単とは言えない。また、磁石での固定であっても取り付け面は、磁力を引き付けるものでなくてはならない上に固定力は磁力に起因する。この問題を解決するためにマグネットの吸着力と金具の嵌合により固定物の脱着を簡単でかつ、確実に行うことを実現することにある。
【課題を解決するための手段】
【０００６】  かかる目的を達成させるため、本考案では取り付け面に磁力を引き付ける基部金具を取り付け、これにマグネットをホールドした取り付け金具を吸着させるという手段をとる。取り付け金具には、固定面に固定させる固定物を取り付け、取り付け金具を介して固定面に固定する。取り付け金具の一部には凸部があり、また基部金具には凹部がある。固定金具にかかる、荷重はマグネットによる吸着力と金具による嵌合により支持を行うという構成をとる。これにより、固定物は固定面の取り付けられた状態となり固定面からの取り外しも容易に行うことができるようになる。
【考案の効果】
【０００７】  本考案は、固定物をマグネットと金具の嵌合により簡単で確実に取り付け、取り外しを可能とする効果を有している。
【図面の簡単な説明】
【０００８】
【図１】固定面に固定する基部金具を示す図である。
【図２】マグネットをホールドした取り付け金具を示す図である。
【図３】基部金具と取り付け金具の嵌合状態を示した図である。
【図４】固定物を取り付け金具に取り付けた実施形態を示した図である。
【考案を実施するための形態】
【０００９】  本考案の実施形態を図１乃至図４を参照して説明する。図１は、固定面に固定する基部金具を示した図である。図２はマグネットをホールドした状態の取り付け金具を示した図である。図３は、基部金具と取り付け金具の嵌合状態を示した図である。図４は固定物を取り付け金具に取り付けた状態の実施形態を示した図である。
【００１０】［構成］
本実施形態における構成は図４のように、基部金具を固定面に対して取り付け、さらに、取り付け金具に固定物を取り付けた状態となる。また、この状態で基部金具と取り付け金具を嵌合させることで実施形態とする。以下、各構成に関して詳述する。
【００１１】  図１に表記の基部金具１は、（ａ）は表部、（ｂ）は側部から見た図である。構成としては、磁力を引き付ける事のできる、例えば鉄で構成される金属でできている円形の本体部分を基礎として、固定面へ取り付けを行うための、ねじ穴１２と図２で表記の取り付け金具２の角度を保持するためのピン１０、さらに取り付け金具２の嵌合突起部１４と嵌合するための、嵌合溝部１１からなる。
【００１２】  図２は、図１で示した基部金具に嵌合するための金具であり、（ａ）は表部、（ｂ）は側部、（ｃ）は裏部から見た図となる。（ａ）の図で見ると、固定物を取り付け金具２に取り付けるための、固定物用ねじ穴１５があり、さらに裏部からマグネットを固定するためのマグネット固定用ねじ穴１７がある。（ｃ）の図でみるとマグネット１８がマグネット固定用ねじ穴によってねじで固定されている。マグネット１８の下部には３点の角度のついた、角度調整用穴１６があいており、図１のピン１０と嵌合することにより角度の調整を行うことができる。角度調整穴および、ピンは何点であっても構わない。嵌合突起部１４は、図１の嵌合溝部に嵌まることで、マグネットの吸着力と合わせて荷重を受ける構造となっている。
【００１３】  図３は、図１の取り付け基部１と図２の取り付け金具２の嵌合状態を示している。（ａ）は基部金具１に対し、取り付け金具２を挿入する際の図となる。嵌合突起１４を嵌合溝１１に嵌合させるため、図上の下部から斜めに挿入を行う。これにより嵌合突起と嵌合溝が、（ｂ）の嵌合した状態となることで荷重を受けることができる。金具が嵌合することとマグネットの吸着力によって引き付ける力で荷重を受けることができ、確実な固定をすることができる。
【実施例】
【００１４】  次に上記の固定具の実施例を、図４を使用して説明する。【００１５】  図４は、本考案の固定具によって固定物３を取り付け固定面Ｗに基部金具１と取り付け金具２を介して固定した際の実施図となっている。（ａ）は表部を（ｂ）は側部を（ｃ）は角度調整の状態を示した図である。固定物３は、ねじによって取り付け金具２に固定されている。一例として図ではＬ字型の金具を表記しているが取り付け金具２に固定できる形状のものであれば構わない。この状態で取り付け金具側の形態となす。【００１６】  これに対し、受け側の基部金具は、固定面に対して皿ビス４で固定されている。受け側は磁性体であれば基部金具の形状以外でも構わない。また固定面への固定は、ビス固定でなくとも接着や溶接、そのほかの手段であっても構わない。基部金具２は、マグネットの吸着力が下面方向へ下がる事を防止するのとともに、嵌合溝部と取り付け金具の嵌合突起部の嵌合により荷重を受ける構造となっている。【００１７】  このように、固定面に取り付けた基部金具と、固定物を取り付けた、取り付け金具の磁力と突起、溝の構造により本案の固定具を介して簡単に着脱を行うことを実現している。【００１８】  また、この固定具の実施の一例として棚などの商品の展示金具として使用した場合（ｃ）のように角度調整をする機能も有する。これは図１のピン１０と図２の角度調整用穴１６の嵌め合いにて作用する。
【産業上の利用可能性】
【００１９】  本考案は、固定物と固定面の着脱を荷重を受けた状態で簡単に行う事ができるという特長を持ち、さまざまな着脱の必要な固定物に対し応用利用が可能であり産業上の利用可能性を有する。
【符号の説明】
【００２０】１      基部金具
２      取り付け金具
３      固定物
４      皿ビス
１０    ピン
１１    嵌合溝部
１２    ねじ穴
１４    嵌合突起部
１５    固定物用ねじ穴
１６    角度調整用穴
１７    マグネット固定用ねじ穴
１８    マグネット